(57)【要約】【課題】構造体側開閉部を開閉させるための機構を簡単にすることができる画像形成装置及び構造体を提供する。【解決手段】画像形成装置１０は、画像形成装置本体１２に対して着脱されるプロセスカートリッジ３００を有し、プロセスカートリッジ３００は、感光体ドラム３４０と、感光体ドラム３４０を覆う第１の位置と感光体ドラム３４０開放する第２の位置との間で移動する感光体カバー３２０とを有し、感光体カバー３２０は、自重により上述の第２の位置から上述の第１の位置へ移動する。【選択図】図６
2016142822.tif 000002
【特許請求の範囲】
【請求項１】
画像形成装置本体に対して着脱される構造体を有し、
前記構造体は、
像を保持する像保持体と、
前記像保持体を覆う第１の位置と前記像保持体を開放する第２の位置との間で移動するように開閉する構造体側開閉部と、
を有し、
前記構造体側開閉部は、自重により前記第２の位置から前記第１の位置へ移動する画像形成装置。
【請求項２】
前記構造体は、前記像保持体から像が転写された記録媒体の前記像保持体からの剥離を補助する補助する補助部をさらに有し、
前記補助部は、前記構造体側開閉部の前記第２の位置から前記第１の位置への移動をさらに補助する請求項１記載の画像形成装置。
【請求項３】
前記補助部は回転体を有し、
前記回転体は、記録媒体の前記像保持体からの剥離を補助する際には記録媒体の搬送方向と同方向に回転し、前記構造体側開閉部の前記第２の位置から前記第１の位置への移動を補助する際には記録媒体の搬送方向と逆方向に回転する請求項２記載の画像形成装置。
【請求項４】
前記構造体側開閉部は、当該構造体側開閉部を回転可能に支持する軸部を有し、
前記構造体は、前記軸部の用紙の搬送方向と交わる方向の移動を案内する案内部をさらに有する請求項１乃至３いずれか記載の画像形成装置。
【請求項５】
前記構造体側開閉部は、前記像保持体の像を保持しない領域である非保持領域に接触する接触部であって、前記像保持体の像を保持する領域である保持領域と当該構造体側開閉部とが接触すること防止する前記接触部を有する請求項１乃至４いずれか記載の画像形成装置。
【請求項６】
前記構造体は、前記像保持体を支持する構造体本体をさらに有し、
前記構造体側開閉部は、前記第２の位置において前記構造体本体との間に空気が流れる流路を形成する請求項１乃至５いずれか記載の画像形成装置。
【請求項７】
前記画像形成装置本体に対して開閉する本体側開閉部をさらに有し、
前記構造体側開閉部は、
前記本体側開閉部が開かれることに連動して前記第２の位置から前記第１の位置へと移動し、
前記本体側開閉部が閉じられることに連動して前記第１の位置から前記第２の位置へと移動する
請求項１乃至７いずれか記載の画像形成装置。
【請求項８】
像を保持する像保持体と、
前記像保持体を覆う第１の位置と前記像保持体を開放する第２の位置との間で移動するように開閉する構造体側開閉部と、
を有し、
前記構造体側開閉部は、自重により前記第２の位置から前記第１の位置へ移動する画像形成装置本体に対して着脱される構造体。
【発明の詳細な説明】
【技術分野】
【０００１】
本発明は、画像形成装置及び構造体に関する。
【背景技術】
【０００２】
特許文献１には、画像形成装置本体に着脱可能なプロセスカートリッジにおいて、電子写真感光体ドラムと、前記電子写真感光体ドラムに作用するプロセス手段と、前記電子写真感光体ドラム及びプロセス手段を支持し、電子写真感光体ドラムを画像形成装置本体の転写手段に対して開口する転写開口を有するカートリッジ枠体と、前記転写開口を蔽う保護位置と前記保護位置から退避する退避位置とを電子写真感光体ドラムに平行な長手方向に交叉する方向に揺動開閉可能なシャッターと、前記シャッターが開閉する方向のシャッターの一端側に回動可能に一端が結合され、他端がカートリッジ枠体に回動可能に結合された第一支持部材と、一端が前記電子写真感光体ドラムに平行な長手方向と交叉する方向にシャッターが移動可能となるようにシャッターに結合され他端がカートリッジ枠体に回動可能に結合された第二支持部材と、を有することを特徴とするプロセスカートリッジが記載されている。
【０００３】
特許文献２には、装置本体の内部に、感光ドラムの表面を保護するためのシャッタ本体、及び該シャッタ本体を感光ドラムの表面を覆う閉じ位置と感光ドラムの表面を露出させる開き位置とへ移動可能に支持するリンク機構を備えてなるシャッタ装置が設けられる一方、装置本体にヒンジを介して開閉可能に設けられた内部アクセスカバーに、その閉じ動作に伴って前記リンク機構を押圧することにより前記シャッタ本体を開き位置へ移動させるリンク押圧部材が突設された画像形成装置において、前記リンク押圧部材が、前記内部アクセスカバーに対して回動可能に設けられるとともに、該内部アクセスカバーに、前記リンク押圧部材を前記リンク機構に押し当てる方向へ付勢する付勢バネ、及び該付勢バネの付勢力によって前記リンク押圧部材が所定位置を超えて回動するのを規制する規制リブがそれぞれ設けられたことを特徴とする画像形成装置が記載されている。
【０００４】
特許文献３には、少なくとも像担持体と、この像担持体の露出部を覆う第１位置及びこの第１位置から退避した第２位置に移動可能な保護部材とを有するプロセスユニットが着脱自在な画像形成装置において、前記プロセスユニットの着脱に連動してプロセスユニットの保護部材を移動させる部分を、前記プロセスユニットの着脱を案内する案内手段に形成したことを特徴とする画像形成装置が記載されている。
【先行技術文献】
【特許文献】
【０００５】
【特許文献１】特開２００２−９１２６６号公報
【特許文献２】特開２００６−３０１４１４号公報
【特許文献３】特開平４−７０７６７号公報
【発明の概要】
【発明が解決しようとする課題】
【０００６】
本発明は、画像形成装置側に、構造体側開閉部が像保持体を覆う位置及び開放する位置に移動させる機構を設ける場合に比べて、構造体側開閉部を開閉させるための機構を簡単にすることができる画像形成装置及び構造体を提供することを目的とする。
【課題を解決するための手段】
【０００７】
請求項１に係る本発明は、画像形成装置本体に対して着脱される構造体を有し、前記構造体は、像を保持する像保持体と、前記像保持体を覆う第１の位置と前記像保持体を開放する第２の位置との間で移動するように開閉する構造体側開閉部と、を有し、前記構造体側開閉部は、自重により前記第２の位置から前記第１の位置へ移動する画像形成装置である。
【０００８】
請求項２に係る本発明は、前記構造体は、前記像保持体から像が転写された記録媒体の前記像保持体からの剥離を補助する補助する補助部をさらに有し、前記補助部は、前記構造体側開閉部の前記第２の位置から前記第１の位置への移動をさらに補助する請求項１記載の画像形成装置である。
【０００９】
請求項３に係る本発明は、前記補助部は回転体を有し、前記回転体は、記録媒体の前記像保持体からの剥離を補助する際には記録媒体の搬送方向と同方向に回転し、前記構造体側開閉部の前記第２の位置から前記第１の位置への移動を補助する際には記録媒体の搬送方向と逆方向に回転する請求項２記載の画像形成装置である。
【００１０】
請求項４に係る本発明は、前記構造体側開閉部は、当該構造体側開閉部を回転可能に支持する軸部を有し、前記構造体は、前記軸部の用紙の搬送方向と交わる方向の移動を案内する案内部をさらに有する請求項１乃至３いずれか記載の画像形成装置である。
【００１１】
請求項５に係る本発明は、前記構造体側開閉部は、前記像保持体の像を保持しない領域である非保持領域に接触する接触部であって、前記像保持体の像を保持する領域である保持領域と当該構造体側開閉部とが接触すること防止する前記接触部を有する請求項１乃至４いずれか記載の画像形成装置である。
【００１２】
請求項６に係る本発明は、前記構造体は、前記像保持体を支持する構造体本体をさらに有し、前記構造体側開閉部は、前記第２の位置において前記構造体本体との間に空気が流れる流路を形成する請求項１乃至５いずれか記載の画像形成装置である。
【００１３】
請求項７に係る本発明は、前記画像形成装置本体に対して開閉する本体側開閉部をさらに有し、前記構造体側開閉部は、前記本体側開閉部が開かれることに連動して前記第２の位置から前記第１の位置へと移動し、前記本体側開閉部が閉じられることに連動して前記第１の位置から前記第２の位置へと移動する請求項１乃至７いずれか記載の画像形成装置である。
【００１４】
請求項８に係る本発明は、像を保持する像保持体と、前記像保持体を覆う第１の位置と前記像保持体を開放する第２の位置との間で移動するように開閉する構造体側開閉部と、を有し、前記構造体側開閉部は、自重により前記第２の位置から前記第１の位置へ移動する画像形成装置本体に対して着脱される構造体である。
【発明の効果】
【００１５】
請求項１に係る本発明によれば、画像形成装置側に、構造体側開閉部が像保持体を覆う位置及び開放する位置に移動させる機構を設ける場合に比べて、構造体側開閉部を開閉させるための機構を簡単にすることができる画像形成装置を提供することができる。
【００１６】
請求項２に係る本発明によれば、補助部を有しないものと比較して、構造体側開閉部の移動を円滑にすることができる。
【００１７】
請求項３に係る本発明によれば、回転体を有しないものと比較して、補助部の機構を簡単にすることができる。
【００１８】
請求項４に係る本発明によれば、案内部を有せず、軸部が移動しないものと比較して、構造体側開閉部が移動をする際に占める空間を小さくすることができる。
【００１９】
請求項５に係る本発明によれば、構造体側開閉部が像保持体の保持領域に接触することを防止することができる。
【００２０】
請求項６に係る本発明によれば、流路が形成されないものと比較して、構造体の冷却を促進することができる。
【００２１】
請求項７に係る本発明によれば、構造体側開閉部の移動が本体側開閉部の開閉と連動しないものと比較して、操作を簡単にすることができる。
【００２２】
請求項８に係る本発明によれば、構造体側開閉部を開閉させるための機構を簡単にすることができる構造体を提供することができる。
できる。
【図面の簡単な説明】
【００２３】
【図１】本発明の実施形成に係る画像形成装置を示す図である。
【図２】図１に示す画像形成装置の開閉部が開かれた状態を示す図である。
【図３】図１に示す画像形成装置が有するプロセスカートリッジを示す斜視図である。
【図４】図３に示すプロセスカートリッジの感光体カバーが第１の位置にある状態を示す断面図である。
【図５】図３に示すプロセスカートリッジの感光体カバーが第２の位置にある状態を示す断面図である。
【図６】図３に示すプロセスカートリッジの感光体カバーが第２の位置から第１の位置へと移動中の状態を示す図である。
【図７】図３に示すプロセスカートリッジから感光体カバーを取り外した状態を図４における矢印Ａ−Ａ方向から示す図である。
【図８】図１に示す画像形成装置が有する連動機構を示し、図８（ａ）は開閉部が開かれた状態における連動機構を示す図であり、図８（ｂ）は開閉部が閉じられた状態における連動機構を示す図である。
【発明を実施するための形態】
【００２４】
次に、本発明を実施するための形態を図面を参照して説明する。図１には、本発明の実施形態に係る画像形成装置１０が示されている。図１に示すように、画像形成装置１０は画像形成装置本体１２を有し、画像形成装置本体１２には、記録媒体として用いられている用紙を排出する排出口１４が形成されている。また、画像形成装置本体１２の上側の面は、画像が形成された用紙が排出される排出部１６として用いられている。
【００２５】
また、画像形成装置本体１２の例えば左側（図１における左側）の側面には、画像形成装置本体１２に対して開閉することができる本体側開閉部として用いられている開閉部４００が装着されている。開閉部４００は、操作者が操作することにより画像形成装置本体１２に対してヒンジ４０２を中心として回転するようにして開閉する。
【００２６】
画像形成装置本体１２内には、構造体として用いられていて、画像形成装置本体１２に対して着脱されるプロセスカートリッジ３００が配置されている。プロセスカートリッジ３００は、像を保持する像保持体として用いられている感光体ドラム３４０と、感光体ドラム３４０を覆う第１の位置（図４を参照）と、感光体ドラム３４０を開放する第２の位置（図５を参照）との間で移動するように開閉する構造体側開閉部としてとして用いられている感光体カバー３２０とを有する。
【００２７】
ここで、プロセスカートリッジとは、例えば感光体ドラム３４０等の像保持体を少なくとも有し、画像形成装置本体１２に対して着脱することができるものをいう。この実施形態においては、プロセスカートリッジ３００は、画像形成装置本体１２の前側（図１における紙面の手前側）に引き出すようにして画像形成装置本体１２から取り外すことができ、画像形成装置本体１２の後側（図１における紙面の奥側）に押しこむようにして画像形成装置本体１２に対して装着することができるようになっている。尚、プロセスカートリッジ３００の詳細は後述する。
【００２８】
また、画像形成装置本体１２内には、現像装置１０２が配置されている。現像装置１０２は、感光体ドラム３４０の表面に形成された潜像を現像剤を用いて現像する。現像剤としては、例えば非磁性トナーと磁性キャリアとが混合されてなる２成分現像剤等を用いることができる。
【００２９】
現像装置１０２は、この実施形態においては画像形成装置本体１２に対して固定されているものの、プロセスカートリッジ３００の一部として現像装置１０２を構成し、画像形成装置本体１２に対してプロセスカートリッジ３００着脱されることにより、現像装置１０２が画像形成装置本体１２に対して着脱されるようにしてもよい。
【００３０】
また、画像形成装置本体１２内には、転写装置１０４が配置されている。転写装置１０４には、転写バイアスが印加されていて、潜像が現像剤により現像されることにより感光体ドラム３４０の表面に形成された現像剤像を用紙に対して転写する。また、転写装置１０４は、開閉部４００に装着されていて、開閉部４００の開閉に伴って、開閉部４００と一体として移動する。
【００３１】
また、画像形成装置本体１２内には、定着装置１０６が配置されている。定着装置１０６は、転写装置１０４によって用紙に転写された現像剤像を、例えば熱と圧力とを用いて用紙に対して定着させる。
【００３２】
また、画像形成装置本体１２には、気流発生装置１１０が取り付けられている。気流発生装置１１０は、画像形成装置本体１２外から画像形成装置本体１２内へと空気を取り込むか、画像形成装置本体１２内の空気を画像形成装置本体１２外へと排出することで、画像形成装置本体１２内に気流を発生させる。
【００３３】
また、画像形成装置本体１２内には、用紙を搬送するための搬送路５００が形成されていて、搬送路５００による用紙の搬送方向における上流が側から順に搬送路５００に沿って、給紙装置５１０と、レジストロール５２０と、先述の転写装置１０４及び先述の感光体ドラム３４０と、先述の定着装置１０６と、排出ロール５３０とが配置されている。
【００３４】
給紙装置５１０は、用紙を積層された状態で収納する用紙収納容器５１２と、積層された用紙中における最も上に位置する用紙をレジストロール５２０に向けて送り出す送り出し装置５１４とを有する。
【００３５】
レジストロール５２０は、例えばロール形状の対向部材５２２に対して押し付けられていて、回転を停止することで用紙の先端部の移動を一時的に停止させ、回転を開始することで、感光体ドラム３４０の表面にトナー像が形成されるタイミングに合致させるように感光体ドラム３４０と転写装置１０４とで形成されるニップ部Ｎへの用紙先端部の移動を再開させる。レジストロール５２０は、開閉部４００に装着されていて、開閉部４００の開閉に伴って、開閉部４００と一体として移動する。
【００３６】
排出ロール５３０は、定着装置１０６によって現像剤像が定着された用紙を、排出口１４を通過させるようにして排出部１６に向けて排出する。
【００３７】
また、画像形成装置本体１２内には、連動機構６００が配置されている。連動機構６００は、開閉部４００が開かれることに連動させて、感光体ドラム３４０を覆う第１の位置へと感光体カバー３２０を移動させる機構であり、開閉部４００が閉じられることに連動させて、感光体ドラム３４０を開放する第２の位置へと感光体カバー３２０を移動する機構である。尚、連動機構６００の詳細は後述する。
【００３８】
図２には、開閉部４００が開かれた状態にある画像形成装置１０が示されている。開閉部４００は、図１に示されている位置からヒンジ４０２を中心として図２に示す矢印ａ方向へと回転することにより図２に示されている画像形成装置本体１２に対して開かれた位置へと移動する。また、開閉部４００は、図２に示されている位置からヒンジ４０２を中心として図２に示す矢印ｂ方向へと回転することにより図１に示されている画像形成装置本体１２に対して閉じられた位置へと移動する。
【００３９】
図２に示す開閉部４００が開かれた状態においては、開閉部４００と一体として転写装置１０４が移動をすることで、転写装置１０４が感光体ドラム３４０から離間するように移動する。また、開閉部４００が開かれた状態においては、開閉部４００と一体としてレジストロール５２０が移動をすることで、レジストロール５２０が対向部材５２２から離間するように移動する。そして、転写装置１０４とレジストロール５２０とが移動をすることで、搬送路５００の給紙装置５１０から定着装置１０６へと至る部分が開放された状態となる。そして、搬送路５００が開放されることで、搬送路５００内で搬送不良を生じた用紙を取り除くことができるようになる。
【００４０】
また、開閉部４００が開かれることに連動し、連動機構６００が感光体カバー３２０を感光体ドラム３４０を開放する位置（第２の位置、図５を参照）から感光体ドラム３４０を覆う位置（第１の位置、図４を参照）へと移動させる。また、開閉部４００が閉じられることに連動し、連動機構６００が感光体カバー３２０を感光体ドラム３４０を覆う位置から感光体ドラム３４０を開放する位置へと移動させる。
【００４１】
図３には、感光体カバー３２０が感光体ドラム３４０を覆う第１の位置にあるプロセスカートリッジ３００が示されている。プロセスカートリッジ３００は、プロセスカートリッジ本体３０２を有し、プロセスカートリッジ本体３０２に対して感光体カバー３２０が装着されている。
【００４２】
プロセスカートリッジ本体３０２は、前側（図３における右側）が把持部３０４となっている。把持部３０４は、プロセスカートリッジ３００を画像形成装置本体に対して着脱させる際等に操作者によって把持される部分である。
【００４３】
また、プロセスカートリッジ本体３０２は、感光体カバー３２０の後述する軸部３２２Ｆ（不図示）の移動を案内する案内部３０６Ｆと、感光体カバー３２０の後述する軸部３２２Ｒ（図４、図５を参照）の移動を案内する案内部３０６Ｒとを有している。尚、案内部３０６Ｆと案内部３０６Ｒとの詳細は後述する。
【００４４】
感光体カバー３２０は、連動機構６００（図１を参照）が有する後述する移動部材６０２Ｆ（不図示）によって押圧される被押圧部３２４Ｆと、連動機構６００が有する後述する移動部材６０２Ｒ（図８を参照）によって押圧される被押圧部３２４Ｒとを有する。被押圧部３２４Ｆと被押圧部３２４Ｒとの詳細は後述する。
【００４５】
また、感光体カバー３２０は、図３における下側の部分に、重し部３２６を有する。重し部３２６の詳細は後述する。
【００４６】
図４は、感光体カバー３２０が感光体ドラム３４０を覆う第１の位置に配置された状態を示す断面図である。プロセスカートリッジ本体３０２には、先述のように感光体ドラム３４０が装着されていて、さらには、感光体ドラム３４０の表面を均一に帯電する帯電装置３４８と、帯電装置３４８によって均一に帯電された感光体ドラム３４０の表面に光を照射することで感光体ドラム３４０の表面に潜像を形成する潜像形成装置３５０と、転写装置１０４（図１を参照）によって現像剤像が用紙へと転写された後に、感光体ドラム３４０の表面に残留している現像剤を除去する現像剤除去装置３５２とが装着されている。
【００４７】
また、図４に示すように、感光体カバー３２０は、先述の軸部３２２Ｒを有する。軸部３２２Ｒは、感光体カバー３２０の後側（図４における紙面の奥側）の部分からさらに後側に突出するように形成されていて、軸部３２２Ｒの後側に先述の被押圧部３２４Ｒが取り付けられている。また、図４には示されていないものの、先述の軸部３２２Ｆ（不図示）は感光体カバー３２０の前側（図４における紙面の手前側）の部分からさらに前側に突出するように形成されている。また、図４には示されていないものの、先述の被押圧部３２４Ｆは軸部３２２Ｆの前側に取り付けられている。
【００４８】
位置が上述のように位置が異なるものの軸部３２２Ｒと軸部３２２Ｆとの構成は同一である。このため、軸部３２２Ｒと軸部３２２Ｆとを、両者を区別する必要がある場合を除いて、以下軸部３２２と総称して説明する。また、位置が上述のように異なるものの被押圧部３２４Ｒと被押圧部３２４Ｆとの構成は同一である。このため、被押圧部３２４Ｒと被押圧部３２４Ｆとを、両者を区別する必要がある場合を除いて、以下被押圧部３２４と総称して説明する。
【００４９】
軸部３２２は、感光体カバー３２０を回転可能に支持する軸部として用いられていて、感光体カバー３２０を図４に示す矢印ｃ方向に回転することができるように支持している。
【００５０】
感光体カバー３２０の重し部３２６は、感光体カバー３２０の重心を感光体カバー３２０の重し部３２６側へ移動させるために設けられていて、例えば、感光体カバー３２０の他の部分よりもリブが形成される密度を高くする等の方法で、感光体カバー３２０の他の部分よりも比重が大きくなっている。
【００５１】
また、感光体カバー３２０は接触部３２８を有する。接触部３２８は、感光体カバー３２０の前側と後側とにそれぞれ１が形成されていて、それぞれが感光体ドラム３４０の像を保持しない領域である後述する非保持領域３４２（図７を参照）に接触し、感光体ドラム３４０の現像剤像を保持する領域である保持領域３４４（図７を参照）と感光体カバー３２０とが接触することを防止している。接触部３２８を設けることにより、感光体カバー３２０が第１の位置にあっても、保持領域３４４と感光体カバー３２０とが接触しないようになるため、感光体カバー３２０に接触することにより生じる虞がある保持領域３４４の劣化が防止される。
【００５２】
プロセスカートリッジ本体３０２は、先述のように案内部３０６Ｒを有する。案内部３０６Ｒは、案内溝３０８Ｒを形成し、軸部３２２Ｒの図４に示す矢印ｄ方向の移動を案内する。ここで、ｄ方向は搬送路５００を搬送中の用紙の搬送方向と交わる方向となっている。また、図４には示されていないものの、プロセスカートリッジ本体３０２に形成されている先述の案内部３０６Ｆは、案内溝（不図示）を形成し、感光体カバー３２０の軸部３２２Ｆの図４に示す矢印ｄ方向の移動を案内する。
【００５３】
位置が上述のように異なるものの、案内部３０６Ｒと案内部３０６Ｆとの構成は同一である。このため、両者を区別する必要がある場合を除いて案内部３０６Ｒと案内部３０６Ｆとを、以下案内部３０６と総称して説明する。
【００５４】
また、プロセスカートリッジ３００は、剥離部材３６８を有する。剥離部材３６８は、例えば爪状の部材であり、一端部が感光体ドラム３４０に表面に接触していて、他端部がプロセスカートリッジ本体３０２に固定されている。剥離部材３６８は、感光体ドラム３４０から現像剤像が転写された用紙を感光体ドラム３４０の表面から剥離する。
【００５５】
また、プロセスカートリッジ３００は、感光体ドラム３４０から現像剤像が転写された用紙の感光体ドラム３４０からの剥離を補助する補助部３７０を有し、補助部３７０は回転体３７２を有する。回転体３７２は、感光体ドラム３４０からの用紙の剥離を補助する際に用紙に接触し、図４に示す矢印ｅ方向、すなわち用紙と接する部分が用紙の搬送方向と同方向に移動する向きに回転することで感光体ドラム３４０からの用紙の剥離を補助する。
【００５６】
回転体３７２は、円周方向に複数の突起が形成されていて、これらの突起が用紙に接触する。このため、回転体３７２が突起を有しない円板形状である場合と比較して、回転体３７２が紙に接触する面積を小さくすることができる。そして、回転体３７２が用紙に接触する面積を小さくすることにより、用紙に転写された未定着の現像剤像に回転体３７２が接触しにくくすることができ、回転体３７２が未定着の現像剤に接触することにより生じる虞がある画像品質の低下を生じにくくすることができる。補助部３７０は、感光体ドラム３４０の長手方向において複数を設けることが望ましく、この実施形態においては２つの補助部３７０が設けられている（図７を参照）。
【００５７】
図５は、感光体カバー３２０が感光体ドラム３４０を開放する第２の位置に配置された状態を示す断面図である。感光体カバー３２０は、開閉部４００が閉じられることに連動して、連動機構６００の移動部材６０２（図８を参照）によって感光体カバー３２０の被押圧部３２４が押圧されることにより、図４に示されている第１の位置から図５に示されている第２の位置へと移動する。この際、感光体カバー３２０が軸部３２２を中心として図５に示す矢印ｃ１方向に回転するとともに、軸部３２２が案内部３０６に案内されるようにして、図４に示されている位置から図５に示されている位置へと図５に示されている矢印ｄ１方向へと移動する。このように、感光体カバー３２０は、開閉部４００が閉じられることに連動して第１の位置から第２の位置へと移動する。
【００５８】
また、第２の位置に配置された状態において、感光体カバー３２０の被押圧部３２４は移動部材６０２によって図５に示す矢印ｄ１方向へと押圧され続けている。このため、感光体カバー３２０は、自重により第１の位置へと移動することができずに、自重に抗して第２の位置に留まり続ける。感光体カバー３２０の重心は、図５に示す重心Ｇの位置にある。
【００５９】
また、感光体カバー３２０は、図５に示されている第２の位置に配置された状態において、プロセスカートリッジ本体３０２との間に空気が流れる流路３３０を形成する。流路３３０には、例えば気流発生装置１１０によって画像形成装置本体１２内に生じた気流が流れる。流路３３０内を気流が流れることによりプロセスカートリッジ３００の冷却が促進される。
【００６０】
また、流路３３０は、定着装置１０６とプロセスカートリッジ本体３０２との間の位置に形成されている。このため、定着装置１０６で生じた熱がプロセスカートリッジ本体３０２側へと伝わりにくくなり、定着装置１０６から生じた熱によりプロセスカートリッジ３００が加熱されにくくなる。
【００６１】
図６は、第２の位置から第１の位置へと感光体カバー３２０が移動中におけるプロセスカートリッジ３００を示す断面図である。感光体カバー３２０は、開閉部４００が開かれることに連動して、連動機構６００の移動部材６０２（図８を参照）が被押圧部３２４から離間することに伴って、図５に示されている第２の位置から図４に示されている第１の位置へと自重によって移動する。この際、感光体カバー３２０が軸部３２２を中心として、図６に示す矢印ｃ２方向に回転するとともに、軸部３２２が案内部３０６に案内されるようにして図６に矢印ｄ２で示されている方向に移動する。
【００６２】
また、感光体カバー３２０が第２の位置から第１の位置へと移動するに際して、補助部３７０は、感光体カバー３２０の移動を補助する。より具体的には、補助部３７０が有する回転体３７２が、感光体カバー３２０に接触した状態で図６に示す矢印ｅ２方向へと回転して感光体カバー３２０に移動を補助する。ここで、矢印ｅ２方向は、回転体３７２が用紙と接する位置において、搬送路５００内における用紙の搬送方向と逆方向となっている。このように、感光体カバー３２０は、開閉部４００が画像形成装置本体１２に対して開かれることに連動して第１の位置から第２の位置へと移動する。
【００６３】
図７には、感光体カバー３２０を取り外した状態におけるプロセスカートリッジ３００が、左側（例えば図１における左側）から示されている。図７に示すように、先述の補助部３７０は２つが設けられている。また、感光体ドラム３４０は、中央側が画像を保持する保持領域３４４となっていて、保持領域３４４の両端側が画像を保持しない非保持領域３４２となっている。
【００６４】
図８は、連動機構６００を示していて、図８（ａ）は開閉部４００が開かれた状態における連動機構６００を示す図であり、図８（ｂ）は開閉部４００が閉じられた状態における連動機構６００を示す図である。連動機構６００は、先述の移動部材６０２を有し、さらには案内部６０４と、付勢部材６０６とを有する。案内部６０４と付勢部材６０６とは、移動部材６０２と同様に前側と後側との両方に設けられているものの、図８においては、後側に設けられた案内部６０４Ｒと、後側に設けられた付勢部材６０６Ｒのみが示されていいて、前側に設けられた案内部６０４Ｆと前側に設けられた付勢部材６０６Ｆとの図示を省略している。また、案内部６０４Ｆと案内部６０４Ｒとを、以後、案内部６０４と総称して説明する。また、付勢部材６０６Ｆと付勢部材６０６Ｒとを、以後、付勢部材６０６と総称して説明する。
【００６５】
案内部６０４は、画像形成装置本体１２に対して取り付けられていて、画像形成装置本体１２に対する移動部材６０２の図８に示す矢印ｆ１方向の移動と、図８に示す矢印ｆ２方向の移動とを案内する。付勢部材６０６は、例えばコイルスプリング等の弾性体を用いることができ、矢印ｆ２方向に移動部材６０２を付勢している。
【００６６】
図８（ａ）に示す画像形成装置本体１２に対して開かれた位置から、ヒンジ４０２を中心として矢印ｂ方向に回転するようにして開閉部４００が閉じられると、開閉部４００に設けられている押圧部４０６が矢印ｆ１方向へと移動部材６０２を押圧する。そして、押圧部４０６によって押圧されることにより、移動部材６０２は付勢部材６０６の付勢に抗して矢印ｆ１へと移動する。そして、矢印ｆ１方向へと移動することにより、移動部材６０２は感光体カバー３２０の被押圧部３２４（図５を参照）を矢印ｄ１方向（図５を参照）へと移動させる。
【００６７】
一方、図８（ｂ）に示す画像形成装置本体１２に対して閉じられた位置から、ヒンジ４０２を中心に矢印ａ方向に回転するようにして開閉部４００が開かれると、押圧部４０６が移動部材６０２から離間し、押圧部４０６が移動部材６０２から離間することで、移動部材６０２が押圧部４０６の付勢により矢印ｆ２方向に移動する。そして、移動部材６０２が矢印ｆ２方向に移動することで、感光体カバー３２０の被押圧部３２４（図６を参照）が移動部材６０２に押圧されないようになり、感光体カバー３２０の自重による第２の位置から第１の位置への移動が許容される状態となる。
【産業上の利用可能性】
【００６８】
以上で説明をしたように、本発明は、例えば複写機、ファクシミリ装置、プリンター等の画像形成装置と、例えばこのような画像形成装置で用いられる構造体とに適用することができる。
【符号の説明】
【００６９】
１０・・・画像形成装置
３００・・・プロセスカートリッジ
３０６・・・案内部
３２０・・・感光体カバー
３２２・・・軸部
３２４・・・被押圧部
３２６・・・重し部
３２８・・・接触部
３３０・・・流路
３４０・・・感光体ドラム
３４２・・・非保持領域
３４４・・・保持領域
３７０・・・補助部
３７２・・・回転体
４００・・・開閉部
【図１】
2016142822.tif 000003
【図２】
2016142822.tif 000004
【図３】
2016142822.tif 000005
【図４】
2016142822.tif 000006
【図５】
2016142822.tif 000007
【図６】
2016142822.tif 000008
【図７】
2016142822.tif 000009
【図８】
2016142822.tif 000010